(57)【要約】【課題】  メガネフレームのフロント部にノーズパッドを取り付ける際の位置決めを容易にする。【解決手段】  メガネフレームのフロント部１に取り付けられるノーズパッドの取付け部の構造であって、前記フロント部１に設けられる取付け溝７と、前記ノーズパッドに設けられるとともに、前記取付け溝７内に嵌合可能な取付け部とを備え、前記取付け部を前記取付け溝７に嵌合させることにより、前記ノーズパッドが前記フロント部１への取付け位置に位置決めされる。【選択図】        図１
2010044284.tif 000002
【特許請求の範囲】
【請求項１】
メガネフレームのフロント部に取り付けられるノーズパッドの取付け部の構造であって、
前記フロント部に設けられる取付け溝と、前記ノーズパッドに設けられるとともに、前記取付け溝内に嵌合可能な取付け部とを備え、
前記取付け部を前記取付け溝に嵌合させることにより、前記ノーズパッドが前記フロント部への取付け位置に位置決めされることを特徴とするメガネフレームのノーズパッドの取付け部の構造。
【請求項２】
前記ノーズパッドは、前記取付け部を前記取付け溝内に嵌合させた状態で、前記取付け部を前記取付け溝内に接合手段により一体に接合することにより、前記フロント部に取り付けられていることを特徴とする請求項１に記載のメガネフレームのノーズパッドの取付け部の構造。
【請求項３】
前記接合手段は、接着剤であることを特徴とする請求項２に記載のメガネフレームのノーズパッドの取付け部の構造。
【請求項４】
前記ノーズパッドは、略楕円形状に形成されるパッド本体と、該パッド本体の周面の一部に一体に設けられる前記取付け部とからなり、該取付け部が前記取付け溝内に嵌合されることを特徴とする請求項１から３の何れか１項に記載のメガネフレームのノーズパッドの取付け部の構造。
【請求項５】
前記フロント部は、所定の間隔をおいて設けられる一対のリムと、両リムの内縁部間を一体に連結するブリッジとを備え、
各リムの裏面側のブリッジに隣接する部分に前記取付け溝が設けられていることを特徴とする請求項１から４の何れか１項に記載のメガネフレームのノーズパッドの取付け部の構造。
【発明の詳細な説明】
【技術分野】
【０００１】
本発明は、メガネフレームのノーズパッド取付け部の構造に関し、特に、メガネフレームへのノーズパッドの取付け位置の位置決めが容易なメガネフレームのノーズパッドの取付け部の構造に関する。
【０００２】
メガネフレームは、レンズを保持する一対のリム、一対のリムの内縁部間を連結するブリッジ、各リムの外縁部に蝶番を介して開閉自在に連結されるテンプル等の複数の部品から構成されている。
【０００３】
このような複数の部品から構成されるメガネフレームのフロント部（ブリッジ、両リム）には、一対の樹脂製のノーズパッドが取り付けられ、メガネフレームを顔に装着した際に、この一対のノーズパッドを鼻の両側面に当接させ、両テンプルを両耳に掛着させることにより、メガネフレームを顔の所定の位置に保持することができるものである（例えば、特許文献１参照。）。
【特許文献１】特開２０００−２９２６０６号公報
【発明の開示】
【発明が解決しようとする課題】
【０００４】
ところで、上記のような構成のメガネフレームにあっては、樹脂製のノーズパッドは、両リムの内縁部に接着剤等により一体に接合され、又は金属製の脚を介してねじ止めにより取り付けている。
【０００５】
この場合、ノーズパッドの両リムへの取付け位置への位置決め、脚の両リムへの取り付け位置の位置決めに非常に手間がかかり、メガネフレーム全体としての組み立てに時間と手間がかかり、コストアップの原因となっていた。
【０００６】
また、作業者の熟練度によってノーズパッドの取付け精度にばらつきが生じ、経験の浅い作業者では高精度でノーズパッドを所定の取付け位置に取り付けることができないという問題もあった。
【０００７】
本発明は、上記のような従来の問題に鑑みなされたものであって、ノーズパッドの両リムへの取付位置の位置決めが容易で、両リムへのノーズパッドの取付けに要する手間を削減することができ、これにより、メガネフレーム全体としての組み立てに要する時間と手間を削減することができ、さらに、作業者の熟練度に影響されることなく、高精度でノーズパッドを所定の取付け位置に取り付けることができるメガネフレームのノーズパッド取付け部の構造を提供することを目的とする。
【課題を解決するための手段】
【０００８】
上記のような課題を解決するために、本発明は、以下のような手段を採用している。
すなわち、請求項１に係る発明は、メガネフレームのフロント部に取り付けられるノーズパッドの取付け部の構造であって、前記フロント部に設けられる取付け溝と、前記ノーズパッドに設けられるとともに、前記取付け溝内に嵌合可能な取付け部とを備え、前記取付け部を前記取付け溝に嵌合させることにより、前記ノーズパッドが前記フロント部への取付け位置に位置決めされることを特徴とする。
【０００９】
本発明のメガネフレームのノーズパッドの取付け部の構造によれば、フロント部に設けられる取付け溝内にノーズパッドに設けられる取付け部を嵌合させることにより、ノーズパッドがフロント部への取付位置に位置決めされることになる。従って、ノーズパッドをフロント部へ取り付ける際の位置決めが容易となるので、ノーズパッドのフロント部への取付けに要する時間と手間を削減することができ、メガネフレーム全体としての組み立てに要する時間と手間を削減することができる。
【００１０】
請求項２に係る発明は、請求項１に記載のメガネフレームのノーズパッドの取付け部の構造であって、前記ノーズパッドは、前記取付け部を前記取付け溝内に嵌合させた状態で、前記取付け部を前記取付け溝内に接合手段により一体に接合することにより、前記フロント部に取り付けられていることを特徴とする。
【００１１】
本発明によるメガネフレームのノーズパッドの取付け部の構造によれば、フロント部の取付け溝内にノーズパッドの取付け部を嵌合させた状態で、ノーズパッドの取付け部を取付け溝内に接合手段により一体に接合することにより、ノーズパッドをフロント部に取り付けることができることになる。従って、ノーズパッドのフロント部への取付けに要する時間と手間を削減することができ、メガネフレーム全体としての組み立てに要する時間と手間を削減することができることになる。
【００１２】
請求項３に係る発明は、請求項２に記載のメガネフレームのノーズパッドの取付け部の構造であって、前記接合手段は、接着剤であることを特徴とする。
【００１３】
本発明のメガネフレームのノーズパッドの取付け部の構造によれば、フロント部の取付け溝内にノーズパッドの取付け部を嵌合させた状態で、ノーズパッドの取付け部を取付け溝内に接着剤により一体に接合することにより、ノーズパッドをフロント部に取り付けることができることになる。
【００１４】
請求項４に係る発明は、請求項１から３の何れか１項に記載のメガネフレームのノーズパッドの取付け部の構造であって、前記ノーズパッドは、略楕円形状に形成されるパッド本体と、該パッド本体の周面の一部に一体に設けられる前記取付け部とからなり、該取付け部が前記取付け溝内に嵌合されることを特徴とする。
【００１５】
本発明のメガネフレームのノーズパッドの取付け部の構造によれば、ノーズパッドの取付け部をフロント部の取付け溝内に嵌合させることにより、フロント部の所定の位置にノーズパッドが位置決めされ、ノーズパッドの略楕円形状のパッド本体を鼻の側面に当接させることが可能な状態となる。
【００１６】
請求項５に係る発明は、請求項１から４の何れか１項に記載のメガネフレームのノーズパッドの取付け部の構造であって、前記フロント部は、所定の間隔をおいて設けられる一対のリムと、両リムの内縁部間を一体に連結するブリッジとを備え、各リムの裏面側のブリッジに隣接する部分に前記取付け溝が設けられていることを特徴とする。
【００１７】
本発明のメガネフレームのノーズパッドの取付け部の構造によれば、フロント部の各リムの裏面側のブリッジ部に隣接する部分の取付け溝内にノーズパッドの取付け部を嵌合させることにより、ノーズパッドが各リムの裏面側の取付け位置に位置決めされることになる。
【発明の効果】
【００１８】
以上、説明したように、本発明のメガネフレームのノーズパッドの取付け部の構造によれば、フロント部に設けられる取付け溝内にノーズパッドに設けられる取付け部を嵌合させることにより、ノーズパッドをフロント部への取付け位置に位置決めすることができることになる。従って、ノーズパッドをフロント部へ取り付ける際の位置決めが容易となるので、ノーズパッドのフロント部への取付けに要する時間と手間を削減することができ、メガネフレーム全体としての組み立てに要する時間と手間を削減することができ、安価なメガネフレームを提供することができる。
【００１９】
また、ノーズパッドの取付け部をフロント部の取付け溝内に嵌合させた状態で、ノーズパッドの取付け部をフロント部の取付け溝内に接合手段により一体に接合することになるので、作業者の熟練度に影響されることなく、高精度でノーズパッドを所定の取付け位置に取り付けることができる。
【発明を実施するための最良の形態】
【００２０】
以下、図面を参照しながら本発明の実施の形態について説明する。
図１〜図５には、本発明によるメガネフレームのノーズパッドの取付け部の構造の一実施の形態が示されていて、図１はメガネフレームのフロント部の全体を示す斜視図、図２は図１の部分拡大図、図３（ａ）は図２のＡ矢視図、図３（ｂ）、（ｃ）は変形例のＡ矢視図、図４はノーズパッドの斜視図、図５はメガネフレームのフロント部にノーズパッドを取り付けた状態を示す斜視図である。
【００２１】
すなわち、本実施の形態のメガネフレームのノーズパッドの取付け部の構造は、メガネフレームのフロント部１にノーズパッド１０を取り付ける際に、ノーズパッド１０をフロント部１の取付け位置に位置決めし、かつ、ノーズパッド１０をフロント部１の取付け位置に高精度で取り付けるのに有効なものである。
【００２２】
メガネフレームは、例えば、図１、図５に示すように、レンズを保持する一対のリム２、２、一対のリム２、２の内縁部間を連結するブリッジ９、各リム２の外縁部に蝶番１８を介して開閉自在に連結されるテンプル（図示せず）等の複数の部品から構成され、一対のリム２、２とブリッジ９とによってフロント部１が構成されている。
【００２３】
各リム２は、環状をなすものであって、各リム２の内周面３には環状のレンズ保持溝５が設けられ、このレンズ保持溝５内に各リム２に合致した形状に形成したレンズ（図示せず）の周縁部を嵌合させることにより、各リム２の内周面３側にレンズが取り付けられる。
【００２４】
両リム２、２は、所定の間隔をおいて設けられるとともに、両リム２、２の内縁部間を中央部が湾曲された棒状のブリッジ９によって一体に連結することで、両リム２、２間が所定の間隔に保持されている。各リム２の外縁部には、略矩形板状の蝶番取付け部６が一体に設けられ、この蝶番取付け部６に蝶番１８を介して棒状のテンプル（図示せず）が開閉自在に取り付けられる。
【００２５】
各リム２の裏面側のブリッジ９に隣接する部分には、図１及び図２に示すように、取付け溝７が設けられ、図５に示すように、この取付け溝７内に後述するノーズパッド１０の取付け部１５を嵌合させることにより、各リム２の裏面側の所定の位置にノーズパッド１０が位置決めされる。
【００２６】
各取付け溝７は、図２に示すように、各リム２の内周面３及び外周面４側が開口し、各リム２の周方向の両端が段差８に形成される所定の長さ、幅、深さの略矩形状の溝であって、この取付け溝７内に後述するノーズパッド１０の取付け部１５が嵌合される。
【００２７】
各取付け溝７は、図３（ａ）に示すように、断面矩形状に形成してもよいし、図３（ｂ）に示すように、断面凸形状に形成してもよいし、図３（ｃ）に示すように、断面台形状に形成してもよい。
【００２８】
各取付け溝７を断面凸形状、断面台形状に形成し、これらの形状に合致するように後述するノーズパッド１０の取付け部１５を形成することにより、接着剤等の接合手段を使用することなく、各取付け溝７にノーズパッド１０を保持することができる。
【００２９】
ノーズパッド１０は、図４に示すように、略楕円形状のパッド本体１１と、パッド本体１１の周面１２の一部に一体に設けられる、各リム２の取付け溝７と合致した略矩形状の取付け部１５とから構成される。ノーズパッド１０の取付け部１５を各リム２の取付け溝７内に嵌合させることにより、各リム２の裏面側の所定の位置にノーズパッド１０を位置決めすることができる。
【００３０】
パッド本体１１は、周面１２の一部が直線状に形成される略楕円形状をなすものであって、表面１３が複数の曲面を組み合わせて構成した凸面に形成され、裏面１４が複数の曲面を組み合わせて構成した凹面に形成され、直線状に形成された周面１２の部分の中央部に略矩形状の取付け部１５が一体に形成されている。
【００３１】
取付け部１５は、各リム２の裏面側の取付け溝７と合致する長さ、幅の略矩形状に形成され、この取付け部１５の先端部又は全体を各リム２の裏面側の取付け溝７内に嵌合させることで、ノーズパッド１０を各リム２の裏面側の取付け位置に位置決めすることができる。
【００３２】
取付け部１５は、各リム２の取付け溝７と合致する長さ、幅に形成され、各リム２の取付け溝７内に嵌合させたときに、長手方向の両面１６、１６が取付け溝７の両段差８、８に当接し、幅方向の両面１７、１７が各リム２の内周面３及びが外周面４と面一となるので、取付け部１５の幅方向の両面１７、１７が各リム２の内周面３及び外周面４側に食み出るようなことはなく、見栄えをよくすることができる。
【００３３】
各リム２の取付け溝７を図３（ｂ）、（ｃ）のように、断面略凸形状、断面略台形状に形成した場合には、それらの形状に合致するように、ノーズパッド１０の取付け部１５を断面凸形状、断面略台形状に形成する。この場合には、各リム２の内周面３又は外周面４側から取付け溝７内にノーズパッド１０の取付け部１５を嵌合させればよい。
【００３４】
そして、上記のように構成したノーズパッド１０の取付け部１５を各リム２の取付け溝７内に嵌合させることにより、各リム２の裏面側の取付け位置にノーズパッド１０を位置決めすることができ、この状態でノーズパッド１０の取付け部１５を接着剤等の接合手段によって取付け溝７内に一体に接合することにより、ノーズパッド１０を各リム２の裏面側の取付け位置に一体に取り付けることができる。
なお、接合手段は、接着剤に限らず、ねじ等であってもよい。
【００３５】
なお、図３（ｂ）、（ｃ）に示すように、各リム２の取付け溝７を断面略凸形状、断面略台形状に形成し、ノーズパッド１０の取付け部１５をそれらの取付け溝７に合致する断面略凸形状、断面略台形状に形成した場合には、ノーズパッド１０の取付け部１５を各リム２の取付け溝７内に嵌合させるだけで、ノーズパッド１０を各リム２に取り付けることができるので、必要に応じて、接着剤等の接合手段により、取付け部１５を取付け溝７に一体に接合するように構成すればよい。
【００３６】
上記のように構成した本実施の形態によるメガネフレームのノーズパッドの取付け部の構造にあっては、フロント部１の各リム２の裏面側に設けた取付け溝７内にノーズパッド１０の取付け部１５を嵌合させることにより、ノーズパッド１０を各リム２の取付け位置に位置決めすることができ、この状態で、ノーズパッド１０の取付け部１５を接着剤等の接合手段によって取付け溝７内に接合することにより、ノーズパッド１０を各リム２の裏面側に取り付けることができる。
【００３７】
従って、各リム２の裏面側にノーズパッド１０を取り付ける際の位置決めに要する時間と手間を削減することができるので、メガネフレーム全体としての組み立てに要する時間と手間を削減することができ、安価なメガネフレームを提供することができる。
【００３８】
また、各リム２の裏面側の取付け溝７内にノーズパッド１０の取付け部１５を嵌合させた状態で、取付け溝７内にノーズパッド１０の取付け部１５を接着剤等の接合手段によって一体に接合することにより、ノーズパッド１０を各リム２の裏面側に取り付けることができるので、作業者の熟練度に影響されることなく、ノーズパッド１０を取付け位置に高精度で取り付けることができ、ノーズパッド１０の取付け精度を大幅に高めることができる。
【００３９】
なお、本実施の形態においては、一対の環状のリム２、２と、両リム２、２の内縁部間を連結するブリッジ９とからなるフルリムタイプのフロント部１を対象として説明したが、図示はしないが、一対の半環状のリムと、両リムの内縁部間を連結するブリッジとからなるハーフリムタイプのフロント部を対象としてもよいものであり、その場合にも同様の作用効果を奏する。
【図面の簡単な説明】
【００４０】
【図１】本発明によるメガネフレームのノーズパッドの取付け部の構造の一実施の形態を示した斜視図であって、メガネフレームのフロント部の全体を示した斜視図である。
【図２】図１のフロント部のノーズパッド取付け部の拡大図である。
【図３】（ａ）は図２のＡ矢視図、（ｂ）、（ｃ）は変形例を示したＡ矢視図である。
【図４】ノーズパッドの斜視図である。
【図５】メガネフレームのフロント部にノーズパッドを取り付けた状態を示した斜視図である。
【符号の説明】
【００４１】
１  フロント部
２  リム
３  内周面
４  外周面
５  レンズ保持溝
６  蝶番取付け部
７  取付け溝
８  段差
９  ブリッジ
１０  ノーズパッド
１１  パッド本体
１２  周面
１３  表面
１４  裏面
１５  取付け部
１６  長手方向の両面
１７  幅方向の両面
１８  蝶番
【図１】
2010044284.tif 000003
【図２】
2010044284.tif 000004
【図３】
2010044284.tif 000005
【図４】
2010044284.tif 000006
【図５】
2010044284.tif 000007